(57)【特許請求の範囲】
【請求項１】
一対のコネクタの一方に装着され、嵌合操作開始位置から嵌合操作完了位置への操作によって一対の前記コネクタ間に嵌合力を作用させ、一対の前記コネクタ間を嵌合開始位置から嵌合完了位置まで変位させるレバー治具であって、
一方の前記コネクタの装着を許容する開位置と、装着位置に位置する一方の前記コネクタの取り外しを阻止する閉位置との間で変位できる開閉ドアと、前記開閉ドアを閉位置に保持するドア保持手段と、嵌合操作開始位置から嵌合操作完了位置の操作で、嵌合操作完了位置への操作が完了した時点で閉位置の前記開閉ドアを前記ドア保持手段の保持力に抗して開位置まで移動させるドア自動開放手段とを備えたことを特徴とするレバー治具。
【請求項２】
請求項１記載のレバー治具であって、
前記ドア自動開放手段は、嵌合操作開始位置から嵌合操作完了位置への移動過程で閉位置の前記開閉ドアを押圧して開位置側に移動させるドアトリガー部と、前記ドアトリガー部によって開位置側に移動された前記開閉ドアに、前記ドア保持手段の保持力より強い付勢力を開位置側に作用させる付勢手段とを備えたことを特徴とするレバー治具。
【請求項３】
請求項１又は請求項２記載のレバー治具であって、
前記ドア保持手段は、前記開閉ドアを閉位置に磁力によって保持する磁石であることを特徴とするレバー治具。
【請求項４】
互いに嵌合可能である一対のコネクタと、
一対の前記コネクタの一方に装着され、操作開始位置から操作完了位置への操作によって一対の前記コネクタ間に嵌合力を作用させて、一対の前記コネクタ間を嵌合開始位置から嵌合完了位置まで変位させるレバー治具とを備えたコネクタ装置であって、
一方の前記コネクタは、前記レバー治具に装着でき、且つ、装着位置から取り外しできるよう設けられ、
前記レバー治具は、一方の前記コネクタの装着を許容する開位置と、装着位置に位置する一方の前記コネクタの取り外しを阻止する閉位置との間で変位できる開閉ドアと、前記開閉ドアを閉位置に保持するドア保持手段と、嵌合操作開始位置から嵌合操作完了位置への操作で、嵌合操作完了位置への操作が完了した時点で閉位置の前記開閉ドアを前記ドア保持手段の保持力に抗して開位置まで移動させるドア自動開放手段とを備えたことを特徴とするコネクタ装置。
【発明の詳細な説明】
【技術分野】
【０００１】
本発明は、一対のコネクタ間を低い操作力で嵌合できるレバー治具、及び、これを用いるコネクタ装置に関する。
【背景技術】
【０００２】
従来より、レバーの操作で一対のコネクタを低い操作力で嵌合できるようにしたコネクタ装置が種々提案されている（例えば、特許文献１参照。）。このようなコネクタ装置の中には、コネクタにレバーを着脱自在、つまり、レバー治具として設けたものも提案されている。レバー治具とすることにより複数のコネクタ装置の嵌合作業を行い、部品費の削減等を図ることができる。かかるレバー治具及びこれを用いたコネクタ装置の一従来例が図１１〜図１４に示されている。以下、説明する。
【０００３】
コネクタ装置１００は、図１１に示すように、レバー治具１０１と一対のコネクタである雌コネクタ１２０及び雄コネクタ１３０とを備えている。
【０００４】
レバー治具１０１は、図１２に詳しく示すように、コネクタ装着部１０２と、このコネクタ装着部１０２に回転自在に支持されたレバー本体１１０とを備えている。コネクタ装着部１０２は、一対の側壁１０３とこれらを連結する連結壁部１０４とを有する。一対の側壁１０３の上端には、互いに内側に突出する上方ストッパ片１０３ａが設けられている。一対の側壁１０３内には、底面側から雌コネクタ１２０が挿入できるようになっている。一対の側壁１０３には、内側に突出するコネクタ係止爪１０５が複数箇所にそれぞれ設けられている。一対の側壁１０３の外面には、一対の支持ピン１０６が突設されている。一対の側壁１０３には、一対の仮係止孔１０７が設けられていると共に各仮係止孔１０７に連通するガイドスリット１０８が設けられている。一対の側壁１０３で、且つ、仮係止孔１０７の下方には、レバーストッパ部１０９が突設されている。
【０００５】
レバー本体１１０は、一対のアーム部１１１と、この一対のアーム部１１１間を先端で連結する操作部１１２とを備えている。一対のアーム部１１１の内面側には、一対のピン受け孔１１３が設けられている。この一対のピン受け孔１１３にコネクタ装着部１０２の各支持ピン１０６が挿入されている。これにより、レバー本体１１０は、一対の支持ピン１０６を支点として嵌合操作開始位置と嵌合操作完了位置の間で回転操作できる。一対のアーム部１１１の内側には、一対のボス引き込み溝１１４が設けられている。一対のアーム部１１１には、内側に突出する仮係止爪１１５がそれぞれ設けられている。レバー本体１１０は、レバーストッパ部１０９に突き当たる位置では、仮係止爪１１５が仮係止孔１０７に係止される。この位置がレバー本体１１０の嵌合操作開始位置である（図１１参照）。
【０００６】
図１１に示すように、雌コネクタ１２０と雄コネクタ１３０は、互いに嵌合、離脱可能に設けられている。雌コネクタ１２０と雄コネクタ１３０には、共に多数の端子（図示せず）を有し、嵌合状態では双方の多数の端子（図示せず）間が接触される。雌コネクタ１２０の上部には、両側面より突出するフランジ部１２１が設けられている。雄コネクタ１３０は、上方が開口されたコネクタ嵌合室１３１を有する。雄コネクタ１３０の両側面には、一対のボス部１３２と、一対の仮係止解除・ガイドリブ１３３が突設されている。
【０００７】
次に、雌コネクタ１２０と雄コネクタ１３０の嵌合作業を説明する。レバー治具１０１のレバー本体１１０は、嵌合操作開始位置にセットされているものとする。先ず、レバー治具１０１のコネクタ装着部１０２の底面側より雌コネクタ１２０を挿入する。完全挿入位置まで挿入されると、雌コネクタ１２０のフランジ部１２１にコネクタ装着部１０２の各コネクタ係止爪１０５が係止する。これでレバー治具１０１と雌コネクタ１２０が連結される。
【０００８】
次に、雄コネクタ１３０のコネクタ嵌合室１３１に雌コネクタ１２０を挿入する。すると、雄コネクタ１３０の仮係止解除・ガイドリブ１３３が仮係止爪１１５を解除位置に変位させ、レバー本体１１０が回転操作可能となる。又、雄コネクタ１３０の一対のボス部１３２がレバー本体１１０の一対のボス引き込み溝１１４に入り込む。これで、雌コネクタ１２０と雄コネクタ１３０が嵌合開始位置にセットされる。
【０００９】
次に、レバー本体１１０を嵌合操作開始位置から嵌合操作完了位置側に回転操作する。すると、雄コネクタ１３０の一対のボス部１３２がレバー本体１１０の一対のボス引き込み溝１１４を移動し、雄コネクタ１３０が雌コネクタ１２０に引き込まれる。つまり、雄コネクタ１３０が嵌合位置側に移動する。図１３及び図１４に示すように、レバー本体１１０の回転操作が進み、嵌合操作完了位置の近くまで来ると、雄コネクタ１３０の左右上端がコネクタ装着部１０２の各コネクタ係止爪１０５に突き当たる。この状態より更にレバー本体１１０を嵌合操作完了位置まで回転すると、雄コネクタ１３０が嵌合完了位置まで引き込まれると共に各コネクタ係止爪１０５が解除位置に変位される。これで、雌コネクタ１２０と雄コネクタ１３０の嵌合作業が完了する。レバー治具１０１は、各コネクタ係止爪１０５が解除位置とされるため、雌コネクタ１２０より離脱させることができる。
【先行技術文献】
【特許文献】
【００１０】
【特許文献１】特開２００９−１８７８６３号公報
【発明の概要】
【発明が解決しようとする課題】
【００１１】
しかしながら、前記従来のレバー治具１０１及びこれを用いたコネクタ装置１００では、嵌合作業中に雌コネクタ１２０と雄コネクタ１３０の相対的位置が傾くと、嵌合操作完了位置よりも手前位置で深く引き込まれた側のコネクタ係止爪１０５が解除位置に変位する。一部のコネクタ係止爪１０５が解除位置に変位すると、レバー治具１０１を雌コネクタ１２０より取り外し可能となる。従って、雌コネクタ１２０及び雄コネクタ１３０間が半嵌合の状態でレバー治具１０１を雌コネクタ１２０より取り外してしまう恐れがある。
【００１２】
そこで、本発明は、前記した課題を解決すべくなされたものであり、一対のコネクタの半嵌合状態における取り外しを確実に防止できるレバー治具及びこれに用いたコネクタ装置を提供することを目的とする。
【課題を解決するための手段】
【００１３】
本発明は、一対のコネクタの一方に装着され、嵌合操作開始位置から嵌合操作完了位置への操作によって一対の前記コネクタ間に嵌合力を作用させ、一対の前記コネクタ間を嵌合開始位置から嵌合完了位置まで変位させるレバー治具であって、一方の前記コネクタの装着を許容する開位置と、装着位置に位置する一方の前記コネクタの取り外し方向への移動を阻止する閉位置との間で変位できる開閉ドアと、前記開閉ドアを閉位置に保持するドア保持手段と、嵌合操作開始位置から嵌合操作完了位置の操作で、嵌合操作完了位置への操作が完了した時点で閉位置の前記開閉ドアを前記ドア保持手段の保持力に抗して開位置まで移動させるドア自動開放手段とを備えたことを特徴とするレバー治具である。
【００１４】
前記ドア自動開放手段は、嵌合操作開始位置から嵌合操作完了位置への移動過程で閉位置の前記開閉ドアを押圧して開位置側に移動させるドアトリガー部と、前記ドアトリガー部によって開位置側に移動された前記開閉ドアに、前記ドア保持手段の保持力より強い付勢力を開位置側に作用させる付勢手段とを備えることが好ましい。
【００１５】
前記ドア保持手段は、前記開閉ドアを閉位置に磁力によって保持する磁石であることが好ましい。
【００１６】
他の本発明は、互いに嵌合可能である一対のコネクタと、一対の前記コネクタの一方に装着され、操作開始位置から操作完了位置への操作によって一対の前記コネクタ間に嵌合力を作用させて、一対の前記コネクタ間を嵌合開始位置から嵌合完了位置まで変位させるレバー治具とを備えたコネクタ装置であって、一方の前記コネクタは、前記レバー治具に装着でき、且つ、装着位置から取り外しできるよう設けられ、前記レバー治具は、一方の前記コネクタの装着を許容する開位置と、装着位置に位置する一方の前記コネクタの取り外し方向への移動を阻止する閉位置との間で変位できる開閉ドアと、前記開閉ドアを閉位置に保持するドア保持手段と、嵌合操作開始位置から嵌合操作完了位置への操作で、嵌合操作完了位置への操作が完了した時点で閉位置の前記開閉ドアを前記ドア保持手段の保持力に抗して開位置まで移動させるドア自動開放手段とを備えたことを特徴とするコネクタ装置である。
【発明の効果】
【００１７】
本発明によれば、レバー治具を嵌合操作開始位置から嵌合操作完了位置に操作し、嵌合操作完了位置まで操作が完了しなければ開閉ドアがドア保持手段によって閉位置に保持され、嵌合操作完了位置まで操作が完了して初めて閉位置の開閉ドアがドア自動開放手段によって自動的に開位置に移動し、レバー治具を一方のコネクタより取り外し可能となる。従って、一対のコネクタ間が半嵌合の状態では取り外しできないため、一対のコネクタの半嵌合状態における取り外しを確実に防止できる。
【図面の簡単な説明】
【００１８】
【図１】本発明の一実施形態を示し、コネクタ装置の分解斜視図である。
【図２】本発明の一実施形態を示し、レバー治具のコネクタ装着部の斜視図である。
【図３】本発明の一実施形態を示し、レバー治具のレバー本体の分解斜視図である。
【図４】本発明の一実施形態を示し、ドアトリガー部が開閉ドアを開位置側に変位させる過程を説明する要部側面図である。
【図５】本発明の一実施形態を示し、コネクタ嵌合作業の一過程を示す斜視図である。
【図６】本発明の一実施形態を示し、コネクタ嵌合作業の一過程を示す斜視図である。
【図７】本発明の一実施形態を示し、コネクタ嵌合作業の一過程を示す斜視図である。
【図８】本発明の一実施形態を示し、コネクタ嵌合作業の一過程を示す斜視図である。
【図９】本発明の一実施形態を示し、コネクタ嵌合作業の一過程を示す斜視図である。
【図１０】本発明の一実施形態を示し、コネクタ嵌合作業の一過程を示す斜視図である。
【図１１】従来例を示し、コネクタ装置の分解斜視図である。
【図１２】従来例を示し、レバー治具の分解斜視図である。
【図１３】従来例を示し、コネクタ嵌合作業の一過程を示す斜視図である。
【図１４】従来例を示し、コネクタ嵌合作業の一過程を示す側面図である。
【発明を実施するための形態】
【００１９】
以下、本発明の実施形態を図面に基づいて説明する。
【００２０】
図１〜図１０は本発明の一実施形態を示す。図１に示すように、コネクタ装置１は、レバー治具２と一対のコネクタである雌コネクタ２０及び雄コネクタ３０とを備えている。
【００２１】
レバー治具２は、コネクタ装着部３と、このコネクタ装着部３に回転自在に支持されたレバー本体１０とを備えている。コネクタ装着部３は、図２に詳しく示すように、一対の側壁４Ａ，４Ｂとこれらを連結する連結壁部５とを有する。一対の側壁４Ａ，４Ｂの上端には、互いに内側に突出する上方壁片４ａが設けられている。コネクタ装着部３は、その前面側が開口されている。一対の側壁４Ａ，４Ｂ内には、開口された前面側から雌コネクタ２０が挿入できるようになっている。一対の側壁４Ａ，４Ｂの内面側には、各上方壁片４ａに沿って平行に一対のスライドレール部４ｂが突設されている。一対のスライドレール部４ｂは、各側壁４Ａ，４Ｂの全長に亘って設けられている。一対の側壁４Ａ，４Ｂの外面には、一対の支持ピン６が突設されている。
【００２２】
一方の側壁４Ａの前面端部には、開閉ドア７が回転自在に支持されている。開閉ドア７は、そのドア先端が他方の側壁４Ｂの前面端に当接し、前面側の開口を一部塞ぐ閉位置（図１の仮想線位置）と、一方の側壁４Ａと面一になり、前面側の開口を開放する開位置（図１の実線位置）との間で回転する。開閉ドア７は、鉄などの磁性体より形成されている。開閉ドア７には、付勢手段であるバネ８のバネ力が作用するよう構成されている。バネ８は、開閉ドア７を開位置側に付勢する。
【００２３】
他方の側壁４Ｂの前面端部には、ドア保持手段である磁石９が設けられている。磁石９は、その着磁面が他方の側壁４Ｂの前面端に露出する状態で埋設されている。磁石９は、保持力である吸磁力によって開閉ドア７を閉位置側に付勢する。
【００２４】
つまり、開閉ドア７には、開位置方向にバネ８のバネ力が、閉位置方向に磁石９の吸磁力力がそれぞれ作用する。開閉ドア７は、閉位置では磁石９の吸磁力が強く、磁石９の吸磁力によって閉位置に保持される。開閉ドア７は、開位置ではバネ８のバネ力が強く、バネ８のバネ力によって開位置に保持される。磁石９の吸磁力とバネ８のバネ力の均衡位置は、下記するドアトリガー部での最終変位位置よりほんの少しだけ閉位置側に設定されている。
【００２５】
他方の側壁４Ｂの前面端部で、且つ、その上面端部には、切欠部４ｃが形成されている。
【００２６】
レバー本体１０は、図３に詳しく示すように、一対のアーム部１１と、この一対のアーム部１１間を先端で連結する操作部１２とを備えている。一対のアーム部１１の内面側には、一対のピン受け孔１３が設けられている。この一対のピン受け孔１３にコネクタ装着部３の各支持ピン６が挿入されている。これにより、レバー本体１０は、一対の支持ピン６を支点として嵌合操作開始位置と嵌合操作完了位置の間で回転操作できる。一対のアーム部１１の内側には、一対のボス引き込み溝１４が設けられている。各ボス引き込み溝１４は、レバー本体１０の嵌合操作開始位置と嵌合操作完了位置では、それぞれ真下位置に開口する。つまり、レバー本体１０の嵌合操作開始位置と嵌合操作完了位置では、各ボス引き込み溝１４に下記する雄コネクタ３０のボス部３２が挿入・離脱できるようになっている。
【００２７】
アーム部１１の一方側には、ドアトリガー部１５が下方に向かって突設されている。ドアトリガー部１５は、図４に示すように、レバー本体１０のコネクタ嵌合操作開始位置からコネクタ嵌合操作完了位置への移動過程にあって、切欠部４ｃに進入して閉位置の開閉ドア７を押圧し、開閉ドア７を開位置側に移動させる。ドアトリガー部１５の開閉ドア７の干渉面は、テーパ面１５ａに形成されている。これにより、ドアトリガー部１５は、レバー本体１０の嵌合操作完了位置への移動が進むに従って開閉ドア７を徐々に移動させる。レバー本体１０の嵌合操作完了位置が開閉ドア７の最終的に変位される位置である。このドアトリガー部１５による開閉ドア７の最終的な変位位置では、上記した磁石９の吸磁力とバネ８のバネ力の設定より、磁石９の吸磁力よりもバネ８のバネ力が強くなる。そのため、開閉ドア７はバネ力によって開位置側に自動回転される。
【００２８】
つまり、ドアトリガー部１５とバネ８は、レバー本体１０の嵌合操作開始位置から嵌合操作完了位置の操作で、嵌合操作完了位置への操作が完了した時点で閉位置の開閉ドア７を磁石９の吸磁力（保持力）に抗して開位置まで移動させるドア自動開放手段ＤＡを構成している。
【００２９】
図１及び図２に示すように、雌コネクタ２０と雄コネクタ３０は、互いに嵌合、離脱可能に設けられている。雌コネクタ２０と雄コネクタ３０には、共に多数の端子（図示せず）を有し、嵌合状態では双方の多数の端子（図示せず）間が接触される。
【００３０】
雌コネクタ２０の両側面の上部には、一対の二条のガイドリブ２１が突設されている。二条のガイドリブ２１は、雌コネクタ２０の側面の全長さに亘って設けられている。二条のガイドリブ２１の間にコネクタ装着部３のスライドレール部４ｂが入り込むように位置合わせし、雌コネクタ２０をコネクタ装着部３にスライド挿入する。このスライド挿入によって、雌コネクタ２０をコネクタ装着部３に装着できる。
【００３１】
雄コネクタ３０は、上方が開口されたコネクタ嵌合室３１を有する。雄コネクタ３０の両側面には、一対のボス部３２が突設されている。
【００３２】
次に、雌コネクタ２０と雄コネクタ３０の嵌合作業を説明する。レバー治具２のレバー本体１０は、嵌合操作開始位置にセットされているものとする。先ず、図５に示すように、開閉ドア７を開位置とし、レバー治具２のコネクタ装着部３の前面側より雌コネクタ２０をスライド挿入する。図６に示すように、雌コネクタ２０の先端がコネクタ装着部３の後壁に突き当たる装着位置まで挿入すると、図７に示すように、バネ８のバネ力に抗して開閉ドア７を開位置から閉位置に回転する。開閉ドア７は、磁石９の吸磁力によって閉位置に保持される。雌コネクタ２０は、コネクタ装着部３の装着位置に位置決めされ、コネクタ装着部３より取り外すことができない。これで、レバー治具２への雌コネクタ２０のセットが完了する。
【００３３】
次に、図８に示すように、雄コネクタ３０のコネクタ嵌合室３１に雌コネクタ２０を挿入する。この挿入によって、雄コネクタ３０の一対のボス部３２がレバー本体１０の一対のボス引き込み溝１４に入り込む。これで、雌コネクタ２０と雄コネクタ３０が嵌合開始位置にセットされる。
【００３４】
次に、レバー本体１０を嵌合操作開始位置から嵌合操作完了位置側（図８の矢印方向）に回転操作する。すると、雄コネクタ３０の一対のボス部３２がレバー本体１０の一対のボス引き込み溝１４を移動し、雄コネクタ３０が雌コネクタ２０に引き込まれる。つまり、雄コネクタ３０が嵌合位置側に移動する。レバー本体１０の回転操作が進み、嵌合操作完了位置の近くまで来ると、レバー本体１０のドアトリガー部１５が開閉ドア７に当接する。この状態より更にレバー本体１０の回転操作が進むと、開閉ドア７がドアトリガー部１５の押圧力によって磁石９の吸磁力に抗して開位置側に移動する。そして、レバー本体１０が嵌合操作完了位置まで回転すると、開閉ドア７がドアトリガー部１５による最終変位位置まで移動する。この最終変位位置で開閉ドア７に作用するバネ８のバネ力が磁石９の吸着力より初めて大きくなる。すると、図９に示すように、開閉ドア７がバネ力によって自動的に開位置に移動する。又、レバー本体１０が嵌合操作完了位置まで回転すると、雄コネクタ３０が嵌合完了位置まで引き込まれる。これで、レバー治具２は雌コネクタ２０より取り外し可能となる。レバー治具２を雌コネクタ２０より取り外し、コネクタ嵌合作業が完了する。
【００３５】
以上説明したように、レバー治具２は、雌コネクタ２０の装着を許容する開位置と、装着位置に位置する雌コネクタ２０の取り外し方向への移動を阻止する閉位置との間で変位できる開閉ドア７と、開閉ドア７を閉位置に保持する磁石９と、嵌合操作開始位置から嵌合操作完了位置の操作で、嵌合操作完了位置への操作が完了した時点で閉位置の開閉ドア７を磁石９の保持力に抗して開位置まで移動させるドア自動開放手段ＤＡとを備えている。従って、レバー治具２を嵌合操作開始位置から嵌合操作完了位置に操作し、嵌合操作完了位置まで操作が完了しなければ開閉ドア７が磁石９によって閉位置に保持され、嵌合操作完了位置まで操作が完了して初めて閉位置の開閉ドア７がドア自動開放手段ＤＡによって自動的に開位置に移動し、レバー治具２を雌コネクタ２０より取り外し可能となる。以上より、雌コネクタ２０と雄コネクタ３０間が半嵌合の状態では取り外しできないため、雌コネクタ２０と雄コネクタ３０間の半嵌合状態における取り外しを確実に防止できる。
【００３６】
ドア自動開放手段ＤＡは、嵌合操作開始位置から嵌合操作完了位置への移動過程で閉位置の開閉ドア７を押圧して開位置側に移動させるドアトリガー部１５と、ドアトリガー部１５によって開位置側に移動された開閉ドア７に、磁石９の吸磁力より強い付勢力を開位置側に作用させる付勢手段より構成されている。この実施形態のように、ドアトリガー部１５は突起状のもので構成でき、付勢手段はバネ８にて構成できるため、ドア自動開放手段ＤＡを簡単に構成できる。
【００３７】
ドア保持手段は、開閉ドア７を閉位置に磁力によって保持する磁石９である。従って、ドア保持手段を簡単に構成できる。
【００３８】
この実施形態では、開閉ドア７の全体を磁性体で形成したが、磁石９に対向配置する一部のみを磁性体で形成しても良く、又、開閉ドア７に磁性体部品を付設しても良い。又、この実施形態では、開閉ドア７を磁性体で形成し、コネクタ装着部３に磁石９を設けたが、開閉ドア７に磁石９を設け、コネクタ装着部３を磁性体で形成しても良い。コネクタ装着部３は、磁石９に対向配置する一部のみを磁性体で形成しても良く、コネクタ装着部３に磁性体部品を付設しても良い。更に、開閉ドア７とコネクタ装着部３の双方に互いに逆極性の磁石を設けても良い。
【符号の説明】
【００３９】
１  コネクタ装置
２  レバー治具
７  開閉ドア
８  バネ（付勢手段）
９  磁石（ドア保持手段）
１５  ドアトリガー部
２０  雌コネクタ（コネクタ）
３０  雄コネクタ（コネクタ）
ＤＡ  ドア自動開放手段
【図１】
0005662208.tif 000002
【図２】
0005662208.tif 000003
【図３】
0005662208.tif 000004
【図４】
0005662208.tif 000005
【図５】
0005662208.tif 000006
【図６】
0005662208.tif 000007
【図７】
0005662208.tif 000008
【図８】
0005662208.tif 000009
【図９】
0005662208.tif 000010
【図１０】
0005662208.tif 000011
【図１１】
0005662208.tif 000012
【図１２】
0005662208.tif 000013
【図１３】
0005662208.tif 000014
【図１４】
0005662208.tif 000015